(57)【要約】【課題】表面に形成されたマークによってアドレス時にゴルファーがフェース面のヒッティングエリアを意識することができ、これによりアドレスでの安心感を得ることできるとともに、安定したスイングを行うことができるウッド型ゴルフクラブヘッドを提供する。【解決手段】ヘッド１０の重心をフェース部１４に投影した箇所Ｐを示す重心位置マーク２２を、ブラスト処理法またはＹＡＧレーザー照射法により、フェース面２４に形成する。【選択図】図１
2011030883.tif 000002
【特許請求の範囲】
【請求項１】
ヘッドの重心をフェース部に投影した箇所を示す重心位置マークが、ブラスト処理法またはＹＡＧレーザー照射法により、フェース面に形成されていることを特徴とするウッド型ゴルフクラブヘッド。
【請求項２】
前記フェース面に、前記重心位置マークを中心として、前記重心位置マークを囲む包囲マークが形成されていることを特徴とする請求項１に記載のウッド型ゴルフクラブヘッド。
【請求項３】
前記重心位置マークおよびその近傍において、スコアラインが形成されていないことを特徴とする請求項１または２に記載のウッド型ゴルフクラブヘッド。
【請求項４】
前記重心位置マークおよびその近傍において、スコアラインの間隔が他の箇所より広くなっていることを特徴とする請求項１または２に記載のウッド型ゴルフクラブヘッド。
【請求項５】
前記フェース部の前記重心位置マークを含む部分が、他の部分より肉厚が厚い厚肉部になっていることを特徴とする請求項１〜４のいずれか１項に記載のウッド型ゴルフクラブヘッド。
【発明の詳細な説明】
【技術分野】
【０００１】
本発明は、フェース面に形成されたマークによってアドレス時にゴルファーがフェース面のヒッティングエリアを意識することができ、これによりゴルファーアドレスでの安心感を得られるとともに、安定したスイングを行うことができるウッド型ゴルフクラブヘッドに関する。
【背景技術】
【０００２】
従来、クラブヘッドの表面にスイングを補助するためのマークを形成したゴルフクラブとして、打撃方向を示す直線と、これと直角方向の直線とをクラブヘッドの表面に記入したものが提案されている（特許文献１、請求項１）。特許文献１のゴルフクラブは、上記マークにより、そのクラブのフェースをゴルフボールに対してその目標の打撃方向に正しくアドレスすることが容易に行なわれることになり、正確な方向のヒッティングを行うことができるようにしたものである（段落００１１）。
【先行技術文献】
【特許文献】
【０００３】
【特許文献１】実開平５−２１９７６号公報
【発明の概要】
【発明が解決しようとする課題】
【０００４】
ゴルフクラブの性能を決める上で重要な役割を果たす要素の１つとして、ヘッドの重心がある。ヘッドの重さの中心が重心であり、重心からフェースへ垂直に結んだ点がスイートスポット（フェース上の重心）となり、スイートスポットをほぼ中心とする一定の領域がヒッティングエリアとなる。低重心ほどボールが上がりやすく、深重心ほど慣性モーメントが大きくヒッティングエリアが拡大されるなど、重心は弾道の決定とクラブの操作性に大きな影響を及ぼす。
【０００５】
したがって、アドレス時やスイング時にゴルファーがフェース上の重心位置を含むフェース面のヒッティングエリアを意識することは、安定したスイングを行うために重要である。
【０００６】
しかし、特許文献１のゴルフクラブヘッドの表面に表示されたマークは、打撃方向を示す直線と、これと直角方向の直線とからなるため、ゴルファーが打撃方向とフェースの向きを意識することはできても、フェース面のヒッティングエリアを意識できるものではなかった。
【０００７】
本発明は、上記事情に鑑みてなされたもので、表面に形成されたマークによってアドレス時にゴルファーがフェース面のヒッティングエリアを意識することができ、これによりゴルファーがアドレスでの安心感を得られるとともに、安定したスイングを行うことができるウッド型ゴルフクラブヘッドを提供することを目的とする。
【課題を解決するための手段】
【０００８】
本発明は、前記目的を達成するため、ヘッドの重心をフェース部に投影した箇所を示す重心位置マークが、ブラスト処理法またはＹＡＧレーザー照射法により、フェース面に形成されていることを特徴とするウッド型ゴルフクラブヘッドを提供する。
【０００９】
ヘッドの重心をフェース部に投影した箇所をほぼ中心とする一定の領域（通常は横長楕円形の領域）は、いわゆるヒッティングエリア（スイートエリアとも言う）であり、ヒッティングエリアでボールを打つと、大きい飛距離を得ることができる。本発明のウッド型ゴルフクラブヘッドは、フェース面に、ヘッドの重心をフェース部に投影した箇所を示す重心位置マークが形成されているので、この重心位置マークによって、アドレス時にゴルファーにフェース面の重心位置を含むヒッティングエリアを意識させることができ、そのためゴルファーがアドレスでの安心感を得ることできるとともに、安定したスイングを行うことが可能となる。
【００１０】
本発明における重心位置マークは、ヘッドの重心をフェース部に投影した箇所、すなわち重心を通る直線がフェース部と直交する箇所を示すように、フェース面に形成されるものであり、フェース面のヘッド重心投影箇所自体に形成してもよく、上記箇所を含む適宜範囲の領域に形成してもよい。重心位置マークの構成に限定はなく、アドレス時にゴルファーにヘッド重心位置を意識させることができるものであればどのような構成であってもよい。好ましい重心位置マークとしては、フェース面のヘッド重心投影箇所を、この箇所をほぼ中心とする単数の多角形模様（三角模様、四角模様、六角模様等）、円形模様あるいは楕円形模様で囲んだマークや、フェース面のヘッド重心投影箇所を、この箇所をほぼ中心とする複数の同心多角形模様（同前）、同心円形模様あるいは同心楕円形模様で囲んだマークを挙げることができる。また、上記マークには、適宜色彩を施すこともできる。
【００１１】
本発明では、上述した重心位置マークを、ブラスト処理法またはＹＡＧ（イットリウム・アルミニウム・ガーネット）レーザー照射法でフェース面に凹凸を設けることにより形成する。これは、重心位置マークをフェース面の凹凸によって表されたものとすることにより、重心位置マークの耐久性を高くすることができるからである。これに対し、塗装や化学処理法によってフェース面に重心位置マークを形成した場合は、ボールの打撃によってマークが消失することがある。
【００１２】
上述したブラスト処理では、小さな粒状の研磨材あるいは類似のものをフェース面に高速度で噴きつけ、表面に微細な凹凸からなる重心位置マークを形成する。ＹＡＧレーザー照射法では、ＹＡＧレーザー光をフェース面に照射し、表面に微細な凹凸からなる重心位置マークを形成する。１本のＹＡＧレーザー光によれば、通常、幅０．００５〜０．２ｍｍの部分に深さ０．０００５〜０．１ｍｍの凹凸を形成することができるので、フェース面の適宜範囲にＹＡＧレーザー光を照射することにより、任意形状の重心位置マークを得ることができる。本発明における重心位置マークの幅、面積などは適宜設定することができ、このマークを構成する線の幅は０．０５〜０．１５ｍｍ、深さは０．００５〜０．０５ｍｍとすることが適当である。
【００１３】
本発明のウッド型ゴルフクラブヘッドは、フェース面に、重心位置マークを中心として、重心位置マークを囲む包囲マークが形成されている構成とすることができる。このようにすると、ゴルファーに重心位置マークをより強く意識させることが可能となる。
【００１４】
本発明のウッド型ゴルフクラブヘッドは、重心位置マークおよびその近傍において、スコアライン（フェース面に刻まれた横溝）が形成されていない構成、または、スコアラインの間隔が他の箇所より広くなっている構成とすることができる。このようにすると、フェース面における重心位置マークを強調して、ゴルファーにヒッティングエリアをより強く意識させることができる。また、重心位置マークおよびその近傍において、スコアラインを形成しなくても、あるいは、スコアラインの間隔を他の箇所より広くしても、重心位置マークは凹凸からなるため、雨天時に濡れたボールを打ったときにボールにバックスピンをかけて、飛球がドロップすることを抑制することができる。
【００１５】
本発明のウッド型ゴルフクラブヘッドは、フェース部の重心位置マークを含む部分が、他の部分より肉厚が厚い厚肉部になっている構成とすることができる。このようにすると、厚肉部の周囲に存在する肉厚の薄い部分のたわみを利用して、フェース部の反発力を向上させることができるとともに、厚肉部によってフェース部の強度を向上させることができる。
【発明の効果】
【００１６】
本発明のウッド型ゴルフクラブヘッドは、下記（Ａ）〜（Ｃ）に示す効果を奏する。
（Ａ）フェース面に形成された重心位置マークによって、アドレス時にゴルファーにフェース面のヒッティングエリアを意識させることができ、これによりゴルファーがアドレスでの安心感を得ることできるとともに、安定したスイングを行うことが可能となるため、バラツキの少ない安定した球筋を実現することができる。
（Ｂ）重心位置マークは、ブラスト処理法またはＹＡＧレーザー照射法によって形成された凹凸により表されているため、重心位置マークの耐久性が高く、ボールの打撃によってマークが消失することがない。
（Ｃ）フェース面のヒッティングエリアに凹凸からなる重心位置マークを有するため、このマーク部分でボールを打つことにより、ボールにバックスピンをかけて、雨天時に濡れたボールを打ったときに発生する飛球のドロップを抑制することができる。
【図面の簡単な説明】
【００１７】
【図１】本発明に係るゴルフクラブヘッドの一実施形態を示すフェース側から見た正面図である。
【図２】本発明の原理を示すトウ側から見た説明図である。
【図３】図１のゴルフクラブヘッドを示すもので、（ａ）は断面図、（ｂ）はフェース部の裏面図である。
【図４】本発明に係るゴルフクラブヘッドの他の実施形態を示すもので、（ａ）は断面図、（ｂ）はフェース部の裏面図である。
【発明を実施するための形態】
【００１８】
以下、本発明につき図面を参照して詳しく説明する。図１は本発明に係るウッド型ゴルフクラブヘッドの一実施形態を示すフェース側から見た正面図、図２は本発明に係るウッド型ゴルフクラブヘッドの原理を示すトウ側から見た説明図である。
【００１９】
本例のゴルフクラブヘッド１０において、１２は中空ヘッド本体、１４はフェース部、１６はクラウン部、１８はソール部、２０はホゼル部を示す。ヘッド本体の材質に限定はなく、例えば、チタン、チタン合金、ステンレス鋼、アルミニウム、アルミニウム合金、ベリリウム銅合金、マグネシウム合金等の金属や、繊維強化樹脂などを使って形成することができる。
【００２０】
本例のゴルフクラブヘッド１０は、ヘッド重心Ｇをフェース部１４に投影した箇所Ｐを示す視認可能な重心位置マーク２２が、ブラスト処理法またはＹＡＧレーザー照射法によってフェース面２４に形成されている。上記箇所Ｐは、重心Ｇを通る直線がフェース部１４と直交する箇所あるいはこの箇所を含む小さい領域である。重心位置マーク２２は、箇所Ｐを中心とする２つの同心三角形によって構成されている。内側の三角形の線幅は、外側の三角形の線幅よりも太い。本例の重心位置マーク２２によれば、ゴルファーは、重心位置マーク２２が設けられた箇所をフェース面のヒッティングエリアとして認識することができる。なお、図１、図２では箇所Ｐを黒丸で表しているが、実際のクラブでは箇所Ｐそのものを示すマークは表示されていない。また、図１では、重心位置マーク２２の内側の三角形のみを表示してある。
【００２１】
本例のゴルフクラブヘッド１０は、フェース面２４に、重心位置マーク２２を囲むように、重心位置マーク２２を中心とする包囲マーク２６が、ブラスト処理法またはＹＡＧレーザー照射法によって形成されている。より詳しくは、上記包囲マーク２６は、線幅の細い最も内側の第１の楕円形マーク２６ａと、第１の楕円形マーク２６ａからやや離れた位置に形成された線幅の太い第２の略楕円形マーク２６ｂと、第２の略楕円形マーク２６ｂに近い位置に形成された線幅の細い第３の略楕円形マーク２６ｃと、第３の略楕円形マーク２６ｃに近い位置に形成された線幅の細い最も外側の第４の略楕円形マーク２６ｄとからなる。本例の包囲マーク２６によれば、ゴルファーに重心位置マーク２２をより強く意識させることができる。
【００２２】
上述した重心位置マーク２２および包囲マーク２６をブラスト処理法で形成する場合、フェース面の重心位置マーク２２および包囲マーク２６の部分以外の部分にマスキングを施し、フェース面にブラスト処理を行うことによって、重心位置マーク２２および包囲マーク２６の部分の表面に凹凸を形成し、両マーク２２、２６を視認可能とすることができる。上述した重心位置マーク２２および包囲マーク２６をＹＡＧレーザー照射法で形成する場合、フェース面の重心位置マーク２２および包囲マーク２６の部分にＹＡＧレーザー光を照射することにより、重心位置マーク２２および包囲マーク２６の部分の表面に凹凸を形成し、両マーク２２、２６を視認可能とすることができる。
【００２３】
本例のゴルフクラブヘッド１０は、重心位置マーク２２およびその近傍に、スコアラインが形成されておらず、スコアライン２８は、重心位置マーク２２からかなり離れた位置のみに形成されている。具体的には、スコアライン２８は、第２、第３の略楕円形マーク２６ｂ、２６ｃと交差するように配置されている。重心位置マーク２２およびその近傍にスコアラインを形成しないようにしたのは、重心位置マーク２２を目立たせ、ゴルファーに重心位置マーク２２をより強く意識させるためである。この場合、重心位置マーク２２およびその近傍にスコアラインを形成しなくても、重心位置マーク２２は凹凸からなるため、雨天時に濡れたボールを打ったときにボールにバックスピンをかけて、飛球がドロップすることを抑制することができる。なお、スコアライン２８は、通常、幅０．７〜０．９ｍｍ程度、深さ０．５ｍｍ程度に形成する。また、上述の作用効果は、重心位置マークおよびその近傍において、スコアラインの間隔を他の箇所より広くすることによっても、同様に得ることができる。
【００２４】
本例のゴルフクラブヘッド１０のフェース部１４は、図３に示すように、重心位置マーク２２を含む部分が最大厚さを有する厚肉部１４ａ、その周囲が厚さが徐々に薄くなる傾斜部１４ｂ、その周囲が最小厚さを有する薄肉部１４ｃとなっている。これにより、厚肉部１４ａの周囲に存在する傾斜部１４ｂ、薄肉部１４ｃのたわみを利用して、フェース部１４の反発力を向上させることができるとともに、厚肉部１４ａによってフェース部１４の強度を向上させることができる。
【００２５】
また、本例のゴルフクラブヘッド１０のフェース部１４は、図４に示す構成にしてもよい。図４のフェース部１４は、重心位置マーク２２を含む部分が最大厚さを有する厚肉部１４ａ、その周囲が厚さが徐々に薄くなる傾斜部１４ｂ、その周囲が最小厚さを有する薄肉部１４ｃとなっており、さらに傾斜部１４ｂとクラウン側端縁との間にヒール側に傾斜した凸状の上側リブ１４ｄ、傾斜部１４ｂとソール側端縁との間にトウ側に傾斜した凸状の下側リブ１４ｅを有する。これにより、厚肉部１４ａの周囲に存在する傾斜部１４ｂ、薄肉部１４ｃのたわみを利用して、フェース部１４の反発力を向上させることができるとともに、厚肉部１４ａ、上側リブ１４ｄおよび下側リブ１４ｅによってフェース部１４の強度を向上させることができる。なお、上側リブ１４ｄをヒール側に傾斜させ、下側リブ１４ｅをトウ側に傾斜させたのは、アベレージゴルファーの打点のバラツキに合わせたもので、オフセンターヒット時に反発のロスが最小限になるように設計されている。また、このリブの傾き角は、ヘッドの設定ライ角とほぼ等しくなっている。
【００２６】
本例のゴルフクラブヘッド１０は、クラウン部１６に、フェース側端部を除いて黒、青、緑、グレー、赤等の適宜色彩に塗料が塗装された着色部３０を有し、クラウン部１６のフェース側端部には、着色されておらず金属が露出した非着色部３２を有する。このようにクラウン部１６のフェース側端部に金属が露出した非着色部３２を設けたのは、非着色部３２をフェース部１４と同じ色にすることにより、アドレス時にゴルファーにフェース部１４を大きく見せ、安心感を与えるためである。
【００２７】
本例のゴルフクラブヘッド１０は、模様の複合により、ゴルファーの意識をフェース面のヒッティングエリアに集中させ、スイングを安定させることができるものである。
【００２８】
なお、本発明のゴルフクラブヘッドは上述した実施形態に限定されるものではなく、本発明の要旨を逸脱しない範囲で種々の変更が可能である。例えば、上述した実施形態では、重心位置マークを、箇所Ｐを中心とする複数の同心三角形によって構成したが、他の模様によって構成してもよい。
【符号の説明】
【００２９】
１０  ゴルフクラブヘッド
１２  ヘッド本体
１４  フェース部
２２  重心位置マーク
２４  フェース面
２６  包囲マーク
２８  スコアライン
Ｇ  ヘッド重心
Ｐ  ヘッド重心をクラウン部に投影した箇所
【図１】
2011030883.tif 000003
【図２】
2011030883.tif 000004
【図３】
2011030883.tif 000005
【図４】
2011030883.tif 000006